(57)【要約】【課題】１つのキャンペーンにおけるポイント、ユーザ情報を、別のキャンペーンに引き継ぐことと同時に、個人情報の漏洩リスクの低減とを両立する引継システムを提供する。【解決手段】ユーザに付与されたポイントのポイント数と、該ポイントを使用した際の使用情報とからなるポイント数情報が蓄積される複数のキャンペーンサーバ３−１〜３−ｎと、ユーザ端末２−１〜２−ｍとを備える引継システムにおいて、キャンペーンサーバ３−１〜３−ｎは、ポイント数情報とユーザ識別情報とからなるユーザ情報を記憶し、ダウンロード要求信号に応じてチェックコードを生成し、ユーザ端末２−１〜２−ｍにチェックコードとユーザ情報とからなる引継情報を送信し、ユーザ端末２−１〜２−ｍは引継情報を記憶し、キャンペーンサーバ３−１〜３−ｎは、アップロード要求信号に応じて引継情報が正規のものであるか否かを認証し、ユーザ情報を記憶することを特徴とする。【選択図】図１
2008117200.tif 000002
【特許請求の範囲】
【請求項１】
ユーザに付与されたポイントのポイント数と、該ポイントを使用した際の使用情報とからなるポイント数情報が蓄積される複数のキャンペーンサーバと、端末とを備える引継システムであって、
前記キャンペーンサーバは、
前記ポイント数情報とユーザ識別情報とからなるユーザ情報を記憶する記憶手段と、
前記端末から送信されるダウンロード要求信号に応じて前記記憶手段から前記ユーザ情報を読み出し、読み出した前記ユーザ情報と所定条件の対応関係を有する改ざん防止チェックコードを生成し、前記端末に生成した前記改ざん防止チェックコードと前記ユーザ情報とからなる引継情報を送信するチェックコード発行手段と、
前記端末から送信されるアップロード要求信号と前記引継情報とに応じて前記引継情報の前記改ざん防止チェックコードと前記ユーザ情報とが前記所定条件の対応関係にあるか否かを判定することにより、前記引継情報が正規のものであるか否かを認証し、前記記憶手段に記憶するデータ認証手段とを有し、
前記端末は、
前記引継情報の送信を要求するダウンロード要求信号をキャンペーンサーバに送信するダウンロード要求手段と、
前記キャンペーンサーバから前記引継情報を受信する受信手段と、
前記受信手段が受信した前記引継情報の受け付けを要求するアップロード要求信号を前記複数のキャンペーンサーバのいずれかに送信するアップロード要求手段とを有する
ことを特徴とする引継システム。
【請求項２】
前記端末は、
情報を記憶する記憶手段を
備えることを特徴とする請求項１に記載の引継システム。
【請求項３】
前記端末が備える前記記憶手段は、
非接触型ＩＣチップである
ことを特徴とする請求項２に記載の引継システム。
【請求項４】
ユーザに付与されたポイントのポイント数と、該ポイントを使用した際の使用情報とからなるポイント数情報が蓄積される複数のキャンペーンサーバと、端末とを備える引継システムにおけるキャンペーンサーバであって、
前記ポイント数情報とユーザ識別情報とからなるユーザ情報を記憶する記憶手段と、
前記端末から送信されるダウンロード要求信号に応じて前記記憶手段から前記ユーザ情報を読み出し、読み出した前記ユーザ情報と所定条件の対応関係を有する改ざん防止チェックコードを生成し、前記端末に生成した前記改ざん防止チェックコードと前記ユーザ情報とからなる引継情報を送信するチェックコード発行手段と、
前記端末から送信されるアップロード要求信号と前記引継情報とに応じて前記引継情報の前記改ざん防止チェックコードと前記ユーザ情報とが前記所定条件の対応関係にあるか否かを判定することにより、前記引継情報が正規のものであるか否かを認証し、前記記憶手段に記憶するデータ認証手段と
を有することを特徴とするキャンペーンサーバ。
【請求項５】
ユーザに付与されたポイントのポイント数と、該ポイントを使用した際の使用情報とからなるポイント数情報が蓄積される複数のキャンペーンサーバと、端末とを備える引継システムにおける引継方法であって、
前記キャンペーンサーバが、前記ポイント数情報とユーザ識別情報とからなるユーザ情報を記憶手段に記憶する過程と、
前記端末が、ダウンロード要求信号を第１のキャンペーンサーバに送信する過程と、
前記第１のキャンペーンサーバが、前記端末から送信される前記ダウンロード要求信号に応じて前記記憶手段からユーザ情報を読み出す過程と、
読み出した前記ユーザ情報と所定条件の対応関係を有する改ざん防止チェックコードを生成する過程と、生成した前記改ざん防止チェックコードと前記ユーザ情報とからなる引継情報を前記端末に送信する過程と、
前記端末が、前記第１のキャンペーンサーバから前記引継情報を受信する過程と、受信した前記引継情報を含むアップロード要求信号を第２のキャンペーンサーバに送信する過程と、
前記第２のキャンペーンサーバが、前記端末から送信されるアップロード要求信号に応じて前記引継情報の前記改ざん防止チェックコードと前記ユーザ情報とが前記所定条件の対応関係にあるか否かを判定することにより、前記引継情報が正規のものであるか否かを認証する過程と、
認証した結果、前記引継情報が正規のものであると認証した場合、前記ユーザ情報を記憶する過程と
を含むことを特徴とする引継方法。
【請求項６】
ユーザに付与されたポイントのポイント数と、該ポイントを使用した際の使用情報とからなるポイント数情報が蓄積される複数のキャンペーンサーバと、端末とを備える引継システムにおけるキャンペーンサーバのコンピュータに、
前記ポイント数情報とユーザ識別情報とからなるユーザ情報を記憶する手順と、
前記端末から送信されるダウンロード要求信号に応じて前記記憶手段から前記ユーザ情報を読み出し、読み出した前記ユーザ情報と所定条件の対応関係を有する改ざん防止チェックコードを生成し、前記端末に生成した前記改ざん防止チェックコードと前記ユーザ情報とからなる引継情報を送信する手順と、
前記端末から送信されるアップロード要求信号と前記引継情報とに応じて前記引継情報の前記改ざん防止チェックコードと前記ユーザ情報とが前記所定条件の対応関係にあるか否かを判定することにより、前記引継情報が正規のものであるか否かを認証し、前記記憶手段に記憶する手順と
を実行させるためのプログラム。
【発明の詳細な説明】
【技術分野】
【０００１】
本発明は、主にポイント情報を含むユーザ情報の引継システム、キャンペーンサーバ、引継方法、及びプログラムに関する。
【背景技術】
【０００２】
従来、商品やサービスに対し、購入や利用ごとにポイントを付し、ユーザが取得したポイントをキャンペーンサーバに登録することにより、抽選に応募したり、蓄積したポイント数に応じて景品に交換したりすることが可能となるキャンペーンがある。このキャンペーンへの参加方法としては、例えば、携帯電話や、コンピュータ端末などの端末が、ユーザによって入力された抽選番号や、二次元コード、三次元コードなどのポイントの識別情報をユーザ情報とともに、キャンペーンの主催者が設置するキャンペーンサーバに送信することにより、ポイントを登録・蓄積して、キャンペーンに参加する方法が広く行われている。また、端末からキャンペーンサーバへの接続方法としては、ＵＲＬ（Uniform Resource Locator）のユーザによる直接入力や、端末による二次元コード等の読み取りによる入力方法などがある。また、特許文献１に示すように、端末に専用のアプリケーションを備えることにより、キャンペーンサーバへの接続や、キャンペーンへの参加を簡便にする方法がある。
【特許文献１】特開２００６−１０７０４７号公報
【発明の開示】
【発明が解決しようとする課題】
【０００３】
ところで、上記に示す方法において、通常、各種キャンペーンは実施期間が定められており、季節ごとなど期間を区切って実施される。これにおいて、キャンペーンの主催者である企業体などにおいては、実施したキャンペーンにおける効果の検証や、同一や同種の商品又はサービスに対するキャンペーンを繰り返し行う場合におけるリピート率、すなわち、第１のキャンペーンに参加したユーザが、第１のキャンペーンの後に行われる第１のキャンペーンと同様の第２のキャンペーンにさらに参加する確率などを、複数のキャンペーンを通じた統計情報によって求め、経営戦略のための分析などのマーケティングに活用したいというニーズがある。
【０００４】
しかしながら、上記のニーズに対応するために、複数のキャンペーンからなる通年のキャンペーンを行う場合には、個人情報の収集と、各キャンペーン間のキャンペーン休止期間における個人情報の管理とに大変手間と運用コストとがかかる。また、個人情報を保持し続けることは、個人情報の漏洩のリスクが高まるという問題がある。この事情によって通年のキャンペーンを実施することが難しかった。
【０００５】
また、実施期間が定められる各種キャンペーンは、キャンペーンが終了すると、キャンペーンサーバに登録したポイントのうち、未消費のポイントが無効となってしまう。そのため、ユーザにとっては、無効となった未消費ポイントが無駄となり、購買意欲が減退する。したがって、本来、販売促進の目的で行われるキャンペーンが、キャンペーン終了と同時に販売の阻害要因となってしまう場合があるという問題があった。
【０００６】
また、実施期間が定められる各種キャンペーンは、同様の商品やサービスを対象とするキャンペーンであっても、キャンペーンごとにユーザは毎回個人情報を含むキャンペーン参加のための登録を行う必要がある。このことは、繰り返しキャンペーンに参加するユーザにとって情報の登録に要する手間が冗長であるという印象を与え、キャンペーンに参加する意欲が減退する要因になりかねないという問題がある。
【０００７】
本発明は、このような事情を考慮し、上記の問題を解決すべくなされたもので、その目的は、１つのキャンペーンにおけるポイント、ユーザ情報を、別のキャンペーンに引き継ぐことと同時に、個人情報の漏洩リスクの低減とを両立することが可能となる引継管理装置、ポイント引継方法、ポイント引継システム、及びプログラムを提供することにある。
【課題を解決するための手段】
【０００８】
上記問題を解決するために、本発明の引継システムは、ユーザに付与されたポイント（例えば、実施形態における登録ポイント）のポイント数と、該ポイントを使用した際の使用情報とからなるポイント数情報（例えば、実施形態における登録ポイント状況情報）が蓄積される複数のキャンペーンサーバと、端末（例えば、実施形態におけるユーザ端末２−１〜２−ｍ）とを備える引継システムであって、前記キャンペーンサーバが、前記ポイント数情報とユーザ識別情報とからなるユーザ情報を記憶する記憶手段（例えば、実施形態におけるユーザ情報ＤＢ３５）と、前記端末から送信されるダウンロード要求信号（例えば、実施形態における引継情報ダウンロード要求信号）に応じて前記記憶手段から前記ユーザ情報を読み出し、読み出した前記ユーザ情報と所定条件の対応関係を有する改ざん防止チェックコード（例えば、実施形態におけるチェックコード）を生成し、前記端末に生成した前記改ざん防止チェックコードと前記ユーザ情報とからなる引継情報を送信するチェックコード発行手段（例えば、実施形態におけるチェックコード発行部４１１）と、前記端末から送信されるアップロード要求信号（例えば、実施形態における引継情報アップロード要求信号）と前記引継情報とに応じて前記引継情報の前記改ざん防止チェックコードと前記ユーザ情報とが前記所定条件の対応関係にあるか否かを判定することにより、前記引継情報が正規のものであるか否かを認証し、前記記憶手段に記憶するデータ認証手段（例えば、実施形態におけるデータ認証部４１２）とを有し、前記端末が、前記引継情報の送信を要求するダウンロード要求信号をキャンペーンサーバに送信するダウンロード要求手段（例えば、実施形態におけるデータＤＬ部２１１）と、前記キャンペーンサーバから前記引継情報を受信する受信手段（たとえば、実施形態における通信部２０）と、前記受信手段が受信した前記引継情報の受け付けを要求するアップロード要求信号を前記複数のキャンペーンサーバのいずれかに送信するアップロード要求手段（例えば、実施形態におけるデータＵＬ部２１２）とを有することを特徴とする引継システムである。
【０００９】
また、本発明は、前記端末が、情報を記憶する記憶手段を備えることを特徴とする。
【００１０】
また、本発明は、前記端末が備える前記記憶手段が、非接触型ＩＣチップであることを特徴とする。
【００１１】
また、本発明は、ユーザに付与されたポイントのポイント数と、該ポイントを使用した際の使用情報とからなるポイント数情報が蓄積される複数のキャンペーンサーバと、端末とを備える引継システムにおけるキャンペーンサーバであって、前記ポイント数情報とユーザ識別情報とからなるユーザ情報を記憶する記憶手段と、前記端末から送信されるダウンロード要求信号に応じて前記記憶手段から前記ユーザ情報を読み出し、読み出した前記ユーザ情報と所定条件の対応関係を有する改ざん防止チェックコードを生成し、前記端末に生成した前記改ざん防止チェックコードと前記ユーザ情報とからなる引継情報を送信するチェックコード発行手段と、前記端末から送信されるアップロード要求信号と前記引継情報とに応じて前記引継情報の前記改ざん防止チェックコードと前記ユーザ情報とが前記所定条件の対応関係にあるか否かを判定することにより、前記引継情報が正規のものであるか否かを認証し、前記記憶手段に記憶するデータ認証手段とを有することを特徴とする。
【００１２】
また、本発明は、ユーザに付与されたポイントのポイント数と、該ポイントを使用した際の使用情報とからなるポイント数情報が蓄積される複数のキャンペーンサーバと、端末とを備える引継システムにおける引継方法であって、前記キャンペーンサーバが、前記ポイント数情報とユーザ識別情報とからなるユーザ情報を記憶手段に記憶する過程と、前記端末が、ダウンロード要求信号を第１のキャンペーンサーバに送信する過程と、前記第１のキャンペーンサーバが、前記端末から送信される前記ダウンロード要求信号に応じて前記記憶手段からユーザ情報を読み出す過程と、読み出した前記ユーザ情報と所定条件の対応関係を有する改ざん防止チェックコードを生成する過程と、生成した前記改ざん防止チェックコードと前記ユーザ情報とからなる引継情報を前記端末に送信する過程と、前記端末が、前記第１のキャンペーンサーバから前記引継情報を受信する過程と、受信した前記引継情報を含むアップロード要求信号を第２のキャンペーンサーバに送信する過程と、前記第２のキャンペーンサーバが、前記端末から送信されるアップロード要求信号に応じて前記引継情報の前記改ざん防止チェックコードと前記ユーザ情報とが前記所定条件の対応関係にあるか否かを判定することにより、前記引継情報が正規のものであるか否かを認証する過程と、認証した結果、前記引継情報が正規のものであると認証した場合、前記ユーザ情報を記憶する過程とを含むことを特徴とする。
【００１３】
また、本発明は、ユーザに付与されたポイントのポイント数と、該ポイントを使用した際の使用情報とからなるポイント数情報が蓄積される複数のキャンペーンサーバと、端末とを備える引継システムにおけるキャンペーンサーバのコンピュータに、前記ポイント数情報とユーザ識別情報とからなるユーザ情報を記憶する手順と、前記端末から送信されるダウンロード要求信号に応じて前記記憶手段から前記ユーザ情報を読み出し、読み出した前記ユーザ情報と所定条件の対応関係を有する改ざん防止チェックコードを生成し、前記端末に生成した前記改ざん防止チェックコードと前記ユーザ情報とからなる引継情報を送信する手順と、前記端末から送信されるアップロード要求信号と前記引継情報とに応じて前記引継情報の前記改ざん防止チェックコードと前記ユーザ情報とが前記所定条件の対応関係にあるか否かを判定することにより、前記引継情報が正規のものであるか否かを認証し、前記記憶手段に記憶する手順とを実行させる。
【発明の効果】
【００１４】
本発明によれば、ユーザに付与されたポイントのポイント数と、該ポイントを使用した際の使用情報とからなるポイント数情報が蓄積される複数のキャンペーンサーバと、端末とを備える引継システムにおいて、前記端末が、ダウンロード要求信号を第１のキャンペーンサーバに送信し、第１のキャンペーンサーバが、前記端末から送信される前記ダウンロード要求信号に応じて記憶手段から前記ポイント数情報とユーザ識別情報とからなるユーザ情報を読み出し、読み出した前記ユーザ情報と所定条件の対応関係を有する改ざん防止チェックコードを生成し、生成した前記改ざん防止チェックコードと前記ユーザ情報とからなる引継情報を前記端末に送信し、前記端末が、前記第１のキャンペーンサーバから前記引継情報を受信し、受信した前記引継情報を含むアップロード要求信号を第２のキャンペーンサーバに送信し、前記第２のキャンペーンサーバが、前記端末から送信されるアップロード要求信号に応じて前記引継情報の前記改ざん防止チェックコードと前記ユーザ情報とが前記所定条件の対応関係にあるか否かを判定することにより、前記引継情報が正規のものであるか否かを認証し、認証した結果、前記引継情報が正規のものであると認証した場合、前記ユーザ情報を記憶することとした。これにより、第１のキャンペーンにおけるポイント、ユーザ情報を、第２のキャンペーンに引き継ぐことと同時に、個人情報の漏洩リスクの低減とを両立することが可能となるという効果がある。
【００１５】
また、本発明によれば、前記端末が、情報を記憶する記憶手段を備えることとした。これにより、前記第１のキャンペーンサーバが実施するキャンペーンが終了し、前記第２のキャンペーンサーバが実施するキャンペーンが開始するまでに、キャンペーンが実施されていない期間がある場合であっても、その期間において、前記端末の前記記憶手段に前記引継情報を記憶しておくことができることができ、第１のキャンペーンにおけるポイント、ユーザ情報を、第２のキャンペーンに引き継ぐことが可能となるという効果がある。
【００１６】
また、本発明によれば、前記端末が備える前記記憶手段が、非接触型ＩＣチップであることとした。これにより、電子マネーなどの決済機能を有する携帯電話端末など、ＩＣチップを搭載した端末を用いることが可能となる。また、ＩＣチップを用いることにより、よりセキュリティの強化が図れることとなる効果がある。
【発明を実施するための最良の形態】
【００１７】
以下、本発明の一実施形態を図面を参照して説明する。図１は、キャンペーンにおいて登録されたユーザ情報の引継システムの全体構成を示すブロック図である。ユーザ端末２−１〜２−ｍとキャンペーンサーバ３−１〜３−ｎとはネットワーク１００を介して接続している。ここで、ネットワーク１００は、例えばインターネットや、専用の私設通信網などの通信網である。
【００１８】
ここで、キャンペーンサーバ３−１〜３−ｎが実施するキャンペーンの形態の一例として、次のキャンペーン形態を例に説明する。すなわち、キャンペーンサーバ３−１〜３−ｎが、ユーザ端末２−１〜２−ｍからのポイント消費命令信号を受信する。そして、各々のキャンペーンにおいて、予め定められた消費条件情報に従い、ユーザ端末２−１〜２−ｍから登録を受け付けた応募用の登録ポイント数の消費処理、すなわち、登録ポイント数を減算する処理を行うキャンペーン形態である。
このキャンペーン形態において、登録ポイントの消費条件情報とは、一定数のポイントごとに抽選権をユーザに与えるという、ポイントと抽選権との交換条件情報とする。なお、登録ポイントの消費条件情報としては、一定数のポイントごとに景品をユーザに与えるという交換条件などであってもよい。
【００１９】
図１において、ユーザ端末２−１〜２−ｍは、ユーザの操作に基づいて、各種キャンペーンの応募用の登録ポイントをキャンペーンに対応するキャンペーンサーバ３−１〜３−ｎに送信し、また、キャンペーンサーバ３−１〜３−ｎからユーザ情報を含む引継情報を受信し、内部に記憶する。ユーザ端末２−１〜２−ｍは、通信部２０と、アプリケーション部２１と、入力受付部２２と、表示部２３と、データ記憶部２４とを備える。
また、ユーザ端末２−１〜２−ｍは、例えば、コンピュータ端末や、携帯電話端末などであってもよいし、電子マネー機能つきの携帯電話端末、すなわち、モバイル決済機能を備える携帯電話端末、などであってもよく、通信部２０と、アプリケーション部２１と、入力受付部２２と、表示部２３と、データ記憶部２４とを備える装置であればいずれの装置であっても適用可能である。
【００２０】
ユーザ端末２−１〜２−ｍにおいて、通信部２０は、ネットワーク１００を介してキャンペーンサーバ３−１〜３−ｎと通信する。入力受付部２２は、キーボードやマウス、操作パネル等の入力デバイスに接続され、ユーザの操作を受けた入力デバイスが出力する信号を判定し、判定した信号に対応する情報を入力する。表示部２３は、例えば、ＣＲＴ（Cathode Ray Tube）や液晶画面に接続され、アプリケーション部２１から入力される画面表示命令信号に応じて情報を画面に表示する。データ記憶部２４は、移行元（または、引継元）のキャンペーンサーバ３−１〜３−ｎから移行先（または、引継先）のキャンペーンサーバ３−１〜３−ｎに移行するまでの間、引継情報を記憶する。データ記憶部２４は、例えば、接触型のＩＣチップや、非接触型のＩＣチップ、メモリ、ハードディスク、磁気記録媒体など、引継情報の書き込みと消去とが可能な記録媒体であればいずれも適用可能である。
ここで、引継情報は、ユーザ情報と、チェックコードとからなる。チェックコードとは、引継情報が改ざんされていないか否かを判定するために用いる情報であり、その詳細は後述する。
【００２１】
アプリケーション部２１は、ユーザ情報を引き継ぐための専用のソフトウェアであり、データＤＬ（ダウンロード）部２１１と、データＵＬ（アップロード）部２１２と、データ保存部２１３とを備える。なお、このアプリケーション部２１は、ユーザ端末２−１〜２−ｍに予め備えられていてもよいし、ユーザ情報の移行を行う際に、キャンペーンサーバ３−１〜３−ｎからダウンロードして、ユーザ端末２−１〜２−ｍに備えてもよい。また、アプリケーション部２１は、キャンペーンサーバ３−１〜３−ｎに限らず、キャンペーンの主催者によるアプリケーション部２１を配信するサーバ装置からダウンロードしたり、記録媒体に記録されたアプリケーション部２１を読み込むなどの手段など、いずれの方法でユーザ端末２−１〜２−ｍにアプリケーション部２１を備える方法でも適用可能である。
【００２２】
アプリケーション部２１において、データＤＬ部２１１は、入力受付部２２から引継情報ダウンロード要求信号が入力されると、引継情報の移行元のキャンペーンサーバ３−１〜３−ｎに通信部２０を介して引継情報ダウンロード要求信号を送信する。ここで、ユーザ情報の送信を要求する引継情報ダウンロード要求信号は、ダウンロード開始信号と、ユーザ識別情報と、ユーザ端末２−１〜２−ｍの宛先情報とからなる。
データＵＬ部２１２は、入力受付部２２から引継情報アップロード要求信号が入力されると、引継情報の移行先のキャンペーンサーバ３−１〜３−ｎに通信部２０を介して引継情報アップロード要求信号を送信する。ここで、ユーザ情報の受け入れ、すなわちユーザ情報の引継を要求する引継情報アップロード要求信号は、アップロード開始信号と、引継情報とからなる。
データ保存部２１３は、通信部２０を介してキャンペーンサーバ３−１〜３−ｎから受信した引継情報をデータ記憶部２４に書き込み、また、引継情報を移行先のキャンペーンサーバ３−１〜３−ｎに送信する際、データ記憶部２４から引継情報を削除する。
【００２３】
キャンペーンサーバ３−１〜３−ｎは、各々異なるキャンペーンにおける主催者が備えるサーバ装置であり、ユーザ端末２−１〜２−ｍから応募用の登録ポイントと、ユーザ識別情報とを受信することにより、ユーザ端末２−１〜２−ｍを有するユーザのキャンペーンへの参加を受け付ける。
また、キャンペーンサーバ３−１〜３−ｎは、ユーザ端末２−１〜２−ｍからのポイント消費命令信号を受信し、予め定められた消費条件情報に従い、ユーザ端末２−１〜２−ｍから登録を受け付けた応募用の登録ポイント数の消費処理、すなわち、登録ポイント数を減算する処理を行う。
【００２４】
また、キャンペーンサーバ３−１〜３−ｎは、上記のキャンペーンへの参加を受け付ける機能の他に、図１に示すように、ユーザ情報ＤＢ３５と、移行情報ＤＢ３６と、引継管理部４とを備える。
キャンペーンサーバ３−１〜３−ｎにおいて、ユーザ情報ＤＢ３５は、図２に示すテーブルとしてユーザ情報を記憶している。ここで、ユーザ情報とは、ユーザ識別情報と、ユーザ端末２−１〜２−ｍがキャンペーンサーバ３−１〜３−ｎにアクセスする際に要するパスワードと、ユーザ端末２−１〜２−ｍからキャンペーンサーバ３−１〜３−ｎに登録された未使用登録ポイント情報と、累計登録ポイント情報と、引継元サーバ識別情報とが対応付けられた情報である。
ユーザ情報ＤＢ３５は、ユーザ端末２−１〜２−ｍから受信した応募用の登録ポイントのポイント登録命令信号や、ポイント消費命令信号に応じて、ユーザ情報を随時更新される。
【００２５】
また、ユーザ情報に含まれる未使用登録ポイント情報と、累計登録ポイント情報と、引継元サーバ識別情報とによって、キャンペーン応募用の登録ポイントの登録ポイント状況が示される。
ここで、未使用登録ポイント情報とは、ユーザ端末２−１〜２−ｍからキャンペーンサーバ３−１〜３−ｎに登録された登録ポイントのうち、上述した登録ポイントの消費条件情報に基づく消費処理がまだなされていない未使用の登録ポイント数情報である。
また、累計登録ポイント情報とは、ユーザ端末２−１〜２−ｍからキャンペーンサーバ３−１〜３−ｎに登録されたポイントの総数である。
なお、未使用登録ポイント及び累計登録ポイント情報は、それぞれ、ユーザが現在参加中のキャンペーンにおける登録ポイント数である参加中ＣＰ（キャンペーン）ポイントと、キャンペーンサーバ３−１〜３−ｎから引き継いだユーザが過去に参加したキャンペーンにおける登録ポイント数である引継済ＣＰポイントとからなる。
【００２６】
また、ユーザ情報には、ユーザ端末２−１〜２−ｍからキャンペーンサーバ３−１に登録された登録ポイントのうち、はずれポイントの情報が含まれていてもよい。はずれポイントは、消費された登録ポイントのうち、報奨となる優遇措置や景品などの対価が発生しない、すなわち、ユーザに景品獲得などの特典が発生しない登録ポイントであり、例えば、抽選から外れた抽選権と交換した登録ポイントなどである。はずれポイントの情報は、抽選に使用され、抽選が外れた場合のはずれポイント数情報や、抽選に外れた回数を示すはずれ回数情報などである。
【００２７】
なお、図２は、キャンペーンサーバ３−２におけるユーザ情報ＤＢ３５が記憶する情報の一例である。図２に示すキャンペーンサーバ３−２のユーザ情報ＤＢ３５には、すでにキャンペーンサーバ３−１のキャンペーンに一度参加したユーザ端末２−１とキャンペーンサーバ３−２において、初めてキャンペーンに参加したユーザ端末２−２とのユーザ情報が記憶されている。
ここで、ユーザ端末２−１に対応するユーザ情報、すなわち、ユーザ識別情報が２−１であるユーザ情報は、キャンペーンサーバ３−１から移行した引継済みＣＰポイント情報と、引継元サーバ識別情報とからなる引継情報を含む。これに対し、ユーザ端末２−２に対応するユーザ情報、すなわち、ユーザ識別情報が２−２であるユーザ情報は、引継済みＣＰポイント情報と、引継元サーバ識別情報とからなる引継情報がない。
【００２８】
次に、ユーザ情報の移行方法について説明する。
ユーザ情報を移行する場合、登録ポイント状況を以下の手順によって書き換えたユーザ情報を引継先のキャンペーンサーバ３−１〜３−ｎに移行する。すなわち、未使用登録ポイント情報において、移行前のユーザ情報の未使用登録ポイントの合計を新たな引換済ＣＰポイントとし、新たな参加中ＣＰポイントを０として書き換える。同様に、累計登録ポイント情報において、移行前のユーザ情報の累計登録ポイントの合計を新たな引換済ＣＰポイントとし、新たな参加中ＣＰポイントを０として書き換える。
ここで、未使用登録ポイントの合計は、次の計算式、すなわち、（未使用登録ポイントの合計）＝（参加中ＣＰポイント）＋（引継済ＣＰポイント）によって算出される。また、累計登録ポイントの合計は、次の計算式、すなわち、（累計登録ポイントの合計）＝（参加中ＣＰポイント）＋（引継済ＣＰポイント）によって算出される。
【００２９】
以下、具体例として、キャンペーンサーバ３−２からキャンペーンサーバ３−ｎへ、ユーザ端末２−１に対応するユーザ情報を移行する場合を例に、ユーザ情報の移行について図２及び３を用いて説明する。
図２は、引継元であるキャンペーンサーバ３−２のユーザ情報ＤＢ３５が記憶するテーブルであり、ユーザ端末２−１に対応するユーザ情報のうち、未使用登録ポイントの合計は、（参加中ＣＰポイント）＋（引継済ＣＰポイント）＝１０ポイント＋５ポイント＝１５ポイントとなる。同様にして、累計登録ポイントの合計は、（累計登録ポイントの合計）＝１５ポイント＋５０ポイント＝６５ポイントとなる。
【００３０】
したがって、ユーザ端末２−１のユーザ情報がキャンペーンサーバ３−２からキャンペーンサーバ３−ｎに引き継がれた際には、図３のキャンペーンサーバ３−ｎにおけるユーザ情報ＤＢ３５のデータ例に示すように、未使用登録ポイントの合計と、累計登録ポイントの合計とが、それぞれ、キャンペーンサーバ３−ｎに送信するため引継情報における未使用登録ポイント情報の引継ＣＰポイントと、累計登録ポイント情報の引継ＣＰポイントとになる。また、引継元サーバ識別情報はキャンペーンサーバ３−２のサーバ識別情報となる。
【００３１】
キャンペーンサーバ３−１〜３−ｎの移行情報ＤＢ３６には、予め、サーバ識別情報と、キャンペーンサーバ３−１〜３−ｎのアドレス情報と、ポイント比率と、移行手数料情報とが対応付けられて、図４に示すテーブルとして記憶されている。このポイント比率を付すことにより、ユーザ情報の移行時に登録ポイントの情報を移行先のキャンペーンに応じて重み付けして移行することが可能となる効果がある。
【００３２】
例えば、図４におけるポイント比率のａとｂとの関係がａ＜ｂである場合、キャンペーンサーバ３−１からユーザ情報を移行する場合よりも、キャンペーンサーバ３−２からユーザ情報を移行する場合の方がポイント移行率が上がるように設定することが可能となる。例えば、キャンペーンに登録された１０ポイントの登録ポイント数を移行する際、移行元のサーバがキャンペーンサーバ３−１の場合とキャンペーンサーバ３−２の場合とについて具体的に説明する。ここで、図４において、移行元のキャンペーンサーバがキャンペーンサーバ３−１場合のポイント比率ａ＝０．８、また、移行元のキャンペーンサーバがキャンペーンサーバ３−２の場合のポイント比率ｂ＝１．０であるとする（ａ＜ｂ）。ここで、移行元がキャンペーンサーバ３−１の場合、移行後のポイントの算出は、次の計算式、すなわち、（登録ポイント数）×（ポイント比率ａ）＝１０ポイント×０．８＝８ポイントによって行われる。
【００３３】
また、移行元がキャンペーンサーバ３−２の場合、移行後のポイントの算出は、次の計算式、すなわち、（登録ポイント数）×（ポイント比率ｂ）＝１０ポイント×１．０＝１０ポイントによって行われる。
【００３４】
このようにして、引継先のキャンペーンサーバ３−１〜３−ｎにおいて、移行元のキャンペーンサーバ３−１〜３−ｎごとにポイント比率を変えることが可能となり、例えば、引継先のキャンペーンサーバ３−１〜３−ｎが実施するキャンペーンの開催時期に対し、より時期的に近いキャンペーンに参加していたユーザからのユーザ情報の移行時に、移行するポイント数を優遇するといったことや、同様の商品が対象のキャンペーンからの引継に対し、移行するポイント数を優遇するといった優遇手段を、引継先のキャンペーンサーバ３−１〜３−ｎが備えることを可能とする効果がある。また、異なる企業によるキャンペーンからのユーザ情報の移行と、同一企業内におけるキャンペーンからのユーザ情報の移行とで異なるポイント比率を設定することが可能となる効果がある。
【００３５】
例えば、同一の商品を対象とする複数のキャンペーンが、それぞれ、キャンペーンサーバ３−１、キャンペーンサーバ３−２、キャンペーンサーバ３−３、・・・、の順にサーバ装置が用いられて実施される場合を例に、開催時期によって異なる優遇条件について説明する。このとき、キャンペーンサーバ３−３が引継先となるユーザ情報の移行において、キャンペーンサーバ３−１よりもキャンペーンサーバ３−２において実施されたキャンペーンの方が、より時期的に近いキャンペーンとなる。したがって、図４のテーブルで示す移行情報ＤＢ３６において、ポイント比率のａとｂとの関係をａ＜ｂとすることにより、キャンペーンサーバ３−３の開催時期に近いキャンペーンからの移行ポイント数を優遇することが可能となる。このため、ユーザに対し、継続して次のキャンペーンに参加する動機付けを行うことが可能となる効果がある。
【００３６】
また、図４に示す移行手数料の項目欄を設けることにより、移行元のキャンペーンサーバごとに異なる移行手数料を設定することが可能となる。なお、この移行手数料を、ユーザ情報の登録ポイント数から減算することにより算出した登録ポイント数を、移行後の登録ポイント数、すなわち、引換済ＣＰポイントとする。
【００３７】
キャンペーンサーバ３−１〜３−ｎにおいて、引継管理部４は、ユーザ情報の移行において、ユーザ情報の送出と受け入れとを行うことによってユーザ情報の引継を実現する。引継管理部４は、通信部４０と、データ管理部４１とを備える。
通信部４０は、ユーザ端末２−１〜２−ｍとの通信を行う。データ管理部４１は、データ管理部４１は、チェックコード発行部４１１と、データ認証部４１２とを備え、ユーザ情報の送出時にチェックコードを発行し、また、ユーザ情報の受け入れ時に、チェックコードによってユーザ情報が正規の情報であるか否かを判定する。
【００３８】
チェックコード発行部４１１は、通信部４０を介してユーザ端末２−１〜２−ｍから引継情報ダウンロード要求信号を受信すると、対応するユーザ情報をユーザ情報ＤＢ３５から読み出し、読み出したユーザ情報に対応するチェックコードを生成する。チェックコード発行部４１１は、生成したチェックコードとユーザ情報とからなる引継情報を通信部４０を介してユーザ端末２−１〜２−ｍに送信する。
データ認証部４１２は、通信部４０を介してユーザ端末２−１〜２−ｍから引継情報アップロード要求信号を受信すると、引継情報のユーザ情報とチェックコードとが所定の対応関係にあるか否かを判定し、ユーザ情報が正規のものであるか否かの認証を行う。
【００３９】
なお、所定の対応関係とは、例えば、チェックコードがユーザ情報を暗号化した情報であり、チェックコードを復号するとユーザ情報と一致するという対応関係や、チェックコードがユーザ情報のハッシュ値を暗号化した情報であり、チェックコードを復号するとユーザ情報のハッシュ値を算出した値と一致するという対応関係など、チェックコードとユーザ情報との対応関係が引継先のキャンペーンサーバ３−１〜３−ｎにおいて判定可能である対応関係であればいずれの対応関係であっても適用可能である。
例えば、ユーザ情報を暗号化してチェックコードを生成する場合の、チェックコード発行部４１１及びデータ認証部４１２によるチェックコードの生成方法及びデータ認証方法は、以下の手順によって行う。チェックコード発行部４１１は、受信した引継情報ダウンロード要求信号のユーザ識別情報を検索キーとして、ユーザ情報ＤＢ３５からユーザ情報を読み出し、読み出したユーザ情報を暗号鍵を用いて暗号化し、暗号化した暗号化ユーザ情報をチェックコードとすることにより、チェックコードを生成する。データ認証を行う際。データ認証部４１２は、受信した引継情報に含まれるチェックコードである暗号化ユーザ情報を復号する。復号したチェックコード、すなわち、引継元のキャンペーンサーバにおいて暗号化されたユーザ情報と、引継情報に含まれる平文のユーザ情報とを比較し、一致するか否かによって、改ざんが行われていたか否かを判定し、引継情報の正当性を認証する。
【００４０】
上述した暗号鍵を用いたチェックコードの生成方法及び認証方法によれば、引継情報に含まれる平文のユーザ情報が改ざんされた場合であっても、暗号鍵を入手しない限り、チェックコードを生成することはできない。これにより、ユーザ情報が改ざんされた場合、チェックコードを復号した元のユーザ情報と、改ざんされたユーザ情報とが一致しないことにより、データ認証部４１２はユーザ情報が改ざんされていることを判定することが可能となる。
ここで、暗号鍵は、キャンペーンサーバ３−１〜３−ｎの全ての引継管理部４が同一の暗号鍵を共有する共通鍵暗号方式による暗号鍵でもよいし、キャンペーンサーバ３−１〜３−ｎごとに異なる公開鍵暗号方式の秘密鍵による暗号鍵でもよい。
【００４１】
なお、キャンペーンサーバ３−１〜３−ｎごとに異なる公開鍵暗号方式の場合、予め引継管理部４は、キャンペーンサーバ３−１〜３−ｎを識別するサーバ識別情報と、対応する公開暗号鍵とを対応付けてメモリに記憶することになる。
また、秘密鍵はキャンペーンサーバ３−１〜３−ｎごとにそれぞれ異なり、キャンペーンサーバ３−１〜３−ｎは、固有の秘密鍵を記憶し、他のキャンペーンサーバ３−１〜３−ｎの秘密鍵を記憶することはない。チェックコードの生成は、チェックコード発行部４１１により秘密鍵によってユーザ情報が暗号化されることによって行う。データ認証を行う際、データ認証部４１２は、受信した引継情報のユーザ情報に含まれる引継元サーバ識別情報に基づき、メモリから公開暗号鍵を読み出し、チェックコードである暗号化ユーザ情報を復号し、引継情報の正当性を認証する。
【００４２】
ここで、チェックコードの生成を公開鍵暗号方式によって行うことにより、チェックコードは、引継元のキャンペーンサーバにのみ存在する秘密鍵でのみ生成可能となるため、キャンペーンサーバごとに異なる秘密鍵を入手しなければチェックコードは生成不可能であり、共有鍵暗号方式に比べ、チェックコードを生成するための暗号鍵の入手経路がより狭まる。したがって、共通鍵暗号方式よりも、さらに改ざん防止効果を高めるという効果がある。
【００４３】
また、上述した一実施形態において、チェックコードは、引継情報に含まれるユーザ情報が改ざんされているか否かを判定することが可能となるチェックコードとして説明したが、チェックコードを、引継元のキャンペーンサーバ３−１〜３−ｎにおいて、引継情報ごとの識別情報とし、キャンペーンサーバ３−１〜３−ｎにおいて生成された正規の情報であるか否かを検出するための情報であってもよい。
【００４４】
次に、図１の構成における引継システムの動作例について図５のフローチャートを用いて説明する。第１の実施形態においては、キャンペーンサーバ３−２がキャンペーンサーバ３−１から引継済みであるユーザ端末２−１に対応するユーザ情報を保持しており、このユーザ端末２−１のユーザ情報をキャンペーンサーバ３−ｎに移行する場合を例にして説明する。
また、この動作例は、引継元のキャンペーンサーバ３−２からユーザ端末２−１に引継情報が移行するまでの第１過程と、ユーザ端末２−１において記憶されている引継情報が、引継先のキャンペーンサーバ３−ｎに移行するまでの第２過程とからなる。
【００４５】
＜第１過程＞
ユーザ端末２−１において、入力受付部２２は、ユーザの入力操作を受けて引継情報のダウンロード開始要求信号を判定すると、アプリケーション部２１を起動し、アプリケーション部２１にダウンロード開始要求信号を出力する（ステップＳ１）。
アプリケーション部２１において、ダウンロード開始要求信号が入力されると、データＤＬ部２１１は、ユーザ端末２−１の宛先情報と、ユーザ識別情報と、ユーザ情報の移行元となる引継元サーバ識別情報との入力をユーザに要求する画面表示命令信号を表示部２３に出力する。入力受付部２２は、ユーザの入力操作を受けて判定したユーザ端末２−１の宛先情報と、ユーザ識別情報と、ユーザ情報の移行元となる引継元サーバ識別情報とをデータＤＬ部２１１に出力する。データＤＬ部２１１は、入力されたダウンロード開始要求信号とユーザ識別情報とユーザ端末２−１の宛先情報とからなる引継情報ダウンロード要求信号を、入力された引継元サーバ識別情報に対応するキャンペーンサーバ３−２に通信部２０を介して送信する（ステップＳ２）。
【００４６】
キャンペーンサーバ３−２において、データ管理部４１の通信部４０は、引継情報ダウンロード要求信号をユーザ端末２−１から受信すると、チェックコード発行部４１１に受信した引継情報ダウンロード要求信号を出力する（ステップＳ３）。
チェックコード発行部４１１は、入力された引継情報ダウンロード要求信号のユーザ識別情報を検索キーとして、ユーザ情報ＤＢ３５からユーザ端末２−１のユーザ情報を読み出す（ステップＳ４）。
チェックコード発行部４１１は、読み出したユーザ情報から、ユーザ情報と上述した所定の条件の対応関係を有するチェックコードを生成する（ステップＳ５）。チェックコード発行部４１１は、生成したチェックコードと、読み出したユーザ情報とからなる引継情報を、引継情報ダウンロード要求信号の宛先情報に基づきユーザ端末２−１に送信し、ユーザ情報ＤＢ３５からユーザ端末２−１に対応するユーザ情報を削除する（ステップＳ６）。
【００４７】
ユーザ端末２−１において、通信部２０は引継情報を受信すると、受信した引継情報をデータ保存部２１３に出力する（ステップＳ７）。
データ保存部２１３は、引継情報を受信すると、受信した引継情報をデータ記憶部２４に書き込む（ステップＳ８）。
以上のステップＳ１〜Ｓ８までがユーザ端末２−１〜２−ｍが引継情報を引継元のキャンペーンサーバからダウンロードし、データ記憶部２４に記憶する第１過程である。なお、この第１過程で記憶された引継情報は、アップロード開始要求信号の入力があるまで、ユーザ端末２−１〜２−ｍがデータ記憶部２４に記憶し続ける。
【００４８】
なお、ステップＳ６において、キャンペーンサーバ３−２は、引継情報を送信するとただちにユーザ情報ＤＢ３５からユーザ端末２−１のユーザ情報を削除することとしたが、ユーザ端末２−１において、データ保存部２１３が引継情報をデータ記憶部２４に記憶し、正常に引継情報が記憶されたことをキャンペーンサーバ３−２に通知する構成とし、キャンペーンサーバ３−２は、正常に引継情報が記憶されたことが通知されてから、ユーザ端末２−１に対応するユーザ情報をユーザ情報ＤＢ３５から削除する構成としても良い。
【００４９】
＜第２過程＞
次に、ユーザ端末２−１において記憶されている引継情報を、移行先、すなわち引継先のキャンペーンサーバ３−ｎに移行する過程の動作例について、図５のフローチャートを用いて説明する。
ユーザ端末２−１において、入力受付部２２は、ユーザの入力操作を受けて引継情報のアップロード開始要求信号を検出すると、アプリケーション部２１を起動し、アプリケーション部２１にアップロード開始要求信号を出力する（ステップＳ１１）。
【００５０】
アプリケーション部２１において、入力されたアップロード開始要求信号が入力されると、データＵＬ部２１２は、ユーザ端末２−１の宛先情報と、ユーザ情報の移行先となる引継先のサーバ識別情報との入力をユーザに要求する画面表示命令信号を表示部２３に出力する。入力受付部２２は、ユーザの入力操作を受けて判定したユーザ端末２−１の宛先情報と、ユーザ情報の移行先となる引継先のサーバ識別情報とをデータＵＬ部２１２に出力する。また、データＵＬ部２１２は、データ記憶部２４から引継情報を読み出す（ステップＳ１２）。データＵＬ部２１２は、入力されたアップロード開始要求信号とユーザ端末２−１の宛先情報と読み出した引継情報とからなる引継情報アップロード要求信号を、入力された引継先のサーバ識別情報に対応するキャンペーンサーバ３−ｎに通信部２０を介して送信する（ステップＳ１３）。
【００５１】
キャンペーンサーバ３−ｎにおいて、データ管理部４１の通信部４０は、引継情報アップロード要求信号をユーザ端末２−１から受信すると、データ認証部４１２に受信した引継情報アップロード要求信号を出力する（ステップＳ１４）。
データ認証部４１２は、入力された引継情報アップロード要求信号のチェックコードとユーザ識別情報とが、上述した所定の対応関係を有するか否かを判定することにより、受信した引継情報が改ざんがなされていないか否かの判定を行う。（ステップＳ１５）。なお、受信した引継情報が改ざんがなされていないと判定した場合、正規の引継情報であることを認証したとものとする。一方、受信した引継情報が改ざんがなされていると判定した場合、正規の引継情報であることを認証できなかったものとする。
【００５２】
データ認証部４１２は、認証を行った結果、入力された引継情報アップロード要求信号のチェックコードとユーザ識別情報とが、上述した所定の対応関係を有することを判定した場合、ユーザ情報の引継元サーバ識別情報を検索キーとして移行情報ＤＢ３６から、ポイント比率と、移行手数料情報とを読み出す。次に、データ認証部４１２は、読み出したポイント比率を未使用登録ポイントと、累計登録ポイントとに乗算したポイントを新たな未使用登録ポイントと、累計登録ポイントとして算出する。データ認証部４１２は、引継情報のユーザ情報の未使用登録ポイントと、累計登録ポイントとを、算出した登録ポイントと、はずれポイントとに入れ替えて、レート変換済みユーザ情報とする。
データ認証部４１２は、レート変換済みユーザ情報から、未使用登録ポイントを抽出し、抽出した未使用登録ポイントから、移行手数料分のポイントを減算した登録ポイントを新たな未使用登録ポイントとして算出する。データ認証部４１２は、レート変換済みユーザ情報の未使用登録ポイント情報を算出した未使用登録ポイント情報と入れ替えて、手数料減算済みユーザ情報とし、ユーザ情報ＤＢ３５に手数料減算済みユーザ情報を書き込む（ステップＳ１６）。
【００５３】
データ認証部４１２は、通信部４０を介して引継情報アップロード要求信号の宛先情報に基づき、認証結果の通知をユーザ端末２−１に送信する（ステップＳ１７）。
データ認証部４１２は、認証を行った結果、入力された引継情報アップロード要求信号のチェックコードとユーザ識別情報とが、上述した所定の対応関係に無いことを判定した場合、ステップＳ１６のユーザ情報書き込みを行わず、ステップＳ１７の動作である、ユーザ端末２−１への認証結果通知の送信を行う。
【００５４】
ユーザ端末２−１において、通信部２０は認証結果を受信すると、受信した認証結果をデータＵＬ部２１２に出力する。
データＵＬ部２１２は、認証結果を受信すると、認証結果が、キャンペーンサーバ３−ｎにおいて、ユーザ情報が引き継がれたことを示す、認証されたという通知であった場合、データ保存部２１３に、データ記憶部２４の引継情報の削除要求信号を出力する。
データＵＬ部２１２は、認証結果が、キャンペーンサーバ３−ｎにおいて、認証されなかったという通知であった場合、引継情報の送信時に正常に送信できなかった可能性があるため、引継情報アップロード要求信号の再送信を行うか処理を終了するかをユーザに選択させる画面表示命令信号を表示部２３に出力する。入力受付部２２は、引継情報アップロード要求信号の再送信がユーザによって選択されたことを判定すると、ステップＳ１２からの処理動作を行う（ステップＳ１８）。
【００５５】
なお、ユーザ情報の未使用登録ポイントの合計処理および累計登録ポイントの合計処理は、第１過程のステップＳ５においてチェックコード発行部４１１が行ってもよいし、第２過程のステップＳ１６において、データ認証部４１２がユーザ情報を書き込む際に行う構成としてもよい。
以上、第１過程と第２過程との処理を行うことにより、キャンペーンサーバ３−２のユーザ情報をキャンペーンサーバ３−ｎへ引き継ぐことが可能となる。これにより、また、従来、ユーザは、キャンペーンごとにユーザ情報を登録する必要があったが、本実施形態の構成により、ユーザ情報を含む引継情報ダウンロード要求信号に応じて、ユーザ端末２−１〜２−ｍにおいて個々にダウンロードした引継情報を保持し、別のキャンペーンにユーザ情報を引き継ぐことが可能となるため、キャンペーンを主催する主催者は、複数のキャンペーンをまたいだユーザ情報を取得することが、個人情報の漏洩のリスクを低減した上で可能となる効果がある。
【００５６】
なお、上記の一実施形態においては、引継管理サーバ１のキャンペーン情報ＤＢ１６は、カテゴリごとに、ユーザ情報が移行可能なキャンペーンのカテゴリと、ポイント比率と、移行手数料とを対応付けて、記憶しているものとして説明したが、キャンペーンサーバ３−１〜３−ｎごとに、ユーザ情報が移行可能なキャンペーンサーバと、ポイント比率と、移行手数料とを対応付けて記憶することも可能である。この場合、キャンペーンごとにポイント比率と移行手数料とをそれぞれ設定することが可能となるため、応募用のポイントの１ポイントあたりの単価がキャンペーンごとに異なる場合であっても、ユーザデータ移行時にポイント比率を乗算することにより、ユーザが購入した商品、サービスの金額に応じたポイントへ変換して、キャンペーンサーバ３−１〜３−ｎへユーザ情報を移行することが可能となる効果がある。また、キャンペーンの主催者が異なるキャンペーンに移行する場合に手数料を増減させることも可能となる。
【００５７】
また、上記の一実施形態の構成により、別のキャンペーンにユーザ情報を移行して引き継ぐ場合、引継元である第１のキャンペーンの主催者と、引継先である第２のキャンペーンの主催者とが異なる主催者であってもよいし、同一の主催者であっても適用可能である。また、移行元である第１のキャンペーンは、キャンペーンが終了していても、キャンペーンが行われている間でも、第１のキャンペーンが実施されるキャンペーンサーバ３−１〜３−ｎにおいて、ユーザ情報の引き継ぎが可能である。
【００５８】
また、従来、キャンペーンごとに集計していたユーザのキャンペーンへの参加度を、本実施形態においては、ユーザ情報を引き継ぐことが可能であるため、第１のキャンペーンと第２のキャンペーンが同一の主催者である場合、継続してキャンペーンに参加している顧客のリピート度を取得することも容易となる。
なお、このリピート度は、例えばユーザ情報に、図６に示すテーブルとして、さらに参加したキャンペーンごとに、例えば、キャンペーン識別情報と、そのキャンペーンに登録した累計登録ポイント数とを対応付けた情報であるキャンペーン参加履歴情報を対応付けて保持することにより、実現可能である。
【００５９】
また、上述の一実施形態においては、ユーザ情報移行時に、登録ポイントおよび、はずれポイントを重み付けして、手数料を差し引いたポイントを移行するとして説明したが、第１のキャンペーンサーバから送信されるユーザ情報をそのまま第２のキャンペーンサーバに移行する構成でもよい。
【００６０】
従来においては、各キャンペーンに登録し、抽選権や、景品への交換に用いる登録ポイントは、毎回のキャンペーンごとに蓄積して、抽選権や景品の交換を行わなければならなかった。そのため、余った登録ポイントや、抽選権や景品と交換するための所定の登録ポイント数に満たない登録ポイントは、キャンペーンが終了した場合、無駄になっていたが、本実施形態の構成によれば、これらのポイントを引き継ぐことが可能となり、ポイントが無駄にならないため、ユーザの購買意欲減退を低減する効果がある。
また、これにより、ユーザにとって、ユーザ情報が引き継げることにより、新たなキャンペーンに対して、ユーザ情報を登録する手間が省けるという効果があり、新たなキャンペーン参加に対するユーザの抵抗感を軽減させ、ポイントも無駄にならないため、キャンペーンへの参加率が上がる効果がある。
【００６１】
また、本実施形態においては、引継管理部４がキャンペーンサーバ３−１〜３−ｎに備えられる構成として説明したが、キャンペーンサーバ３−１〜３−ｎとは別に、独立した装置であってもよい。この場合、引継管理部４の装置は、ネットワーク１００に接続し、キャンペーンサーバ３−１〜３−ｎおよびユーザ端末２−１〜２−ｍと通信する構成となる。
【００６２】
また、上述の一実施形態においては、ユーザ端末２−１〜２−ｍにおいて、引継先のキャンペーンサーバ３−１〜３−ｎのサーバ識別情報がユーザ入力される構成としたが、予め引継情報に引継先のキャンペーンサーバ３−１〜３−ｎのサーバ識別情報が含まれる構成でもよい。この場合、ユーザ情報を引き継ぐ引継先のキャンペーンサーバ３−１〜３−ｎが定められており、引継元のキャンペーンサーバ３−１〜３−ｎにおいて、引継先のキャンペーンサーバ３−１〜３−ｎがサーバ識別情報が記憶されている構成となる。
【００６３】
また、キャンペーンサーバ３−１〜３−ｎにおいて、引継情報ダウンロード要求を受け付けることが可能な期間は、キャンペーンサーバ３−１〜３−ｎが実施するキャンペーンの期間のみでもよいし、キャンペーン終了後、一定期間受け付ける構成でもよいし、キャンペーンサーバ３−１〜３−ｎの主催者によって任意に設定可能であり、設定した引継情報ダウンロード要求を受け付けることが可能な期間が終了後、ユーザ情報を削除することで、個人情報を管理し続ける必要が無くなる効果がある。
また、キャンペーンサーバ３−１〜３−ｎから、ユーザ情報の引き継ぎを促す通知をユーザ端末２−１〜２−ｍに行ってもよい。
【００６４】
また、上述の一実施形態において、登録ポイントは商品やサービスに付与されているものとしたが、登録ポイントは、店舗に設置される専用ポイント付与機によってその場で来店ごとユーザに付与される登録ポイントであってもよい。専用ポイント付与機は、ユーザ端末２−１〜２−ｍの登録ポイントを送信、または、端末２−１〜２−ｍの記憶装置に登録ポイントを書き込む機能を有する構成となる。
【００６５】
また、図５に示す各ステップを実現するためのプログラムをコンピュータ読み取り可能な記録媒体に記録し、また、図１に示す端末２−１〜２−ｍ、キャンペーンサーバ３−１〜３−ｎの機能を実現するためのプログラムをコンピュータ読み取り可能な記録媒体に記録して、この記録媒体に記録されたプログラムをコンピュータシステムに読み込ませ、実行することにより、キャンペーンサーバ３−１〜３−ｎが保持するユーザ情報を引き継ぐ処理を行ってもよい。
ここで、上述の「コンピュータシステム」とは、ＯＳや周辺機器等のハードウェアを含むものであってもよい。
【００６６】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００６７】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に記憶したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００６８】
【図１】本発明の一実施形態における引継システムを示すブロック図である。
【図２】同実施形態におけるユーザ情報ＤＢ３５が記憶するユーザ情報のテーブルの一例である。
【図３】同実施形態におけるユーザ情報ＤＢ３５が記憶するユーザ情報のテーブルの一例である。
【図４】同実施形態における移行情報ＤＢ３６が記憶するテーブルの一例である。
【図５】同実施形態における引継システムの動作例を示したフローチャートである。
【図６】ユーザ情報ＤＢ３５が記憶するユーザ情報のテーブルの他の例である。
【符号の説明】
【００６９】
２−１〜２−ｍ  ユーザ端末
２０  通信部
２１  アプリケーション部
２１１  データＤＬ部
２１２  データＵＬ部
２１３  データ保存部
２２  入力受付部
２３  表示部
２４  データ記憶部
３−１〜３−ｎ  キャンペーンサーバ
４  引継管理部
４０  通信部
４１  データ管理部
４１１  チェックコード発行部
４１２  データ認証部
３５  ユーザ情報ＤＢ
３６  移行情報ＤＢ
１００  ネットワーク
【図１】
2008117200.tif 000003
【図２】
2008117200.tif 000004
【図３】
2008117200.tif 000005
【図４】
2008117200.tif 000006
【図５】
2008117200.tif 000007
【図６】
2008117200.tif 000008